(57)【要約】【課題】火災などの異常発生感知器の、報知部単体のみを身近な箇所に設定して、異常時に迅速な避難を促すことを目的とするシステムを提供する。【解決手段】本考案は、火災など異常発生の感知部単体５の異常発生電気信号の入力により起動する電力一時遮断回路４の作動で、電気ブレーカーサイドの電力供給を操作して、当該電気回線８内に設定した異常発生の報知部単体９を作動させ警報を発して異常を報知する。【選択図】図１
0003131547.tif 000002
【実用新案登録請求の範囲】
【請求項１】
火災などの異常発生感知器が検知した異常発生電気信号により、電気ブレーカーの電力供給の一時遮断と復元をする回路を設けて、当該電気ブレーカーの電気回線内に接続した異常発生報知器を作動させる電気回線用異常発生報知システム。
【考案の詳細な説明】
【技術分野】
【０００１】  本考案は、家庭などの電気回線を利用した異常発生報知システムに関するものである。
【背景技術】
【０００２】  通常、家庭用後付け火災報知器などは感知器と一体型のものが多く、離れた所では察知しにくい不便がある。また、報知器の移設は専門の工事を必要とし安易にできるものはない。一般家庭でも火災報知器の設置が義務づけられた昨今、いまだに火災による人身事故が多く発生している。
【考案の開示】
【考案が解決しようとする課題】
【０００３】  個人住宅など火災報知設備の不備なところが多く、また後付に於いても工事の煩わしさや、更に工事後であっても感知器や報知器を単独に移設することは容易でない、本考案の電気回線用異常発生報知システムでは、利用者が独自に報知器を自在に移設することを可能として、上述の問題を解決しようとするものである。
【課題を解決するための手段】
【０００４】  本考案は、火災などで異常発生感知器が検知した異常発生電気信号により電気ブレーカーの電力供給の遮断と、同時にタイムスイッチが作動して設定タイム約０．５秒経過後に電力の供給を復元する回路からなる電力供給一時遮断回路と、当該電気ブレーカーの電気回線内に接続して使用する異常発生報知器とで構成するシステムにより問題点を解決している。
【考案の効果】
【０００５】  上述の様に、電気ブレーカーサイドに設けた電力供給一時遮断回路の一連の作動で、火災などの異常発生を察知することができる。従って、当該電気ブレーカーの電気回線内の差込コンセントであれば任意の箇所に自在に移設することが可能となる。例えば利用者の任意する身近な所に移設して迅速に異常を察知することで、火災時などの非常時に速やかな避難が可能となり人身事故の減少に効果がある。
【考案を実施するための最良の形態】
【０００６】  電気ブレーカーサイドに上述の電力供給一時遮断回路を設けて、任意箇所に設置する火災などの異常発生感知器の異常発生電気信号回線を接続する。また当該電気ブレーカーの電気回線内の任意箇所に本考案の異常発生報知器を設置する、例えば二階の寝室など身近な部屋の差込コンセントに接続することで全ての設定が終了となる。従って設定後、火災などの異常発生感知器が異常を感知して異常発生電気信号を送信すると上述の任意箇所に設置した異常発生報知器が異常を報知する。
【実施例】
【０００７】  以下、添付図面に従って一実施例を説明する。１は電気ブレーカーの電力、２は電気ブレーカー、３は電力供給一時遮断回路の電力、４は電力供給一時遮断回路、５は火災などの異常発生感知器、６は異常発生電気信号の回線、７は電気ブレーカーの電力供給の遮断と復元の回線、８は電気ブレーカーの電気回線、９は異常発生報知器、Ａは火災などの異常発生感知器の電力。但し本考案のシステムには電池式の火災などの異常発生感知器にも対応が可能で、その場合はＡの電力回線は不要となる。【０００８】  本考案の一実施例は上述の如き構成からなるものであるから、火災などの異常発生感知器５の異常発生電気信号を６の回線から電力供給一時遮断回路４が受信すると、電気ブレーカー２の電力供給を遮断すると同時に、当該回路４内に設けたタイムスイッチが作動して設定タイム約０．５秒経過後に電力供給が復元する。一方電気ブレーカーの電気回線内８に設置した異常発生報知器９は、上記の電力供給遮断でリセットが解除され、次の電力供給復元で作動して異常を報知する。従って異常発生報知器を電気回線内の差込コンセントに接続する初期設定ではリセットの作業が必要となる。
【図面の簡単な説明】
【０００９】
【図１】本考案の電気回線用異常発生報知システムの実施例を示す回路図である。
【符号の説明】
【００１０】  １  電気ブレーカーの電力
２  電気ブレーカー
３  電力供給一時遮断回路の電力
４  電力供給一時遮断回路
５  火災などの異常発生感知器
６  異常発生電気信号の回線
７  電気ブレーカーの電力供給の遮断と復元の回線
８  電気ブレーカーの電気回線
９  異常発生報知器
Ａ  火災などの異常発生感知器の電力（電池式の異常発生感知器の場合は不要）
【図１】
0003131547.tif 000003
【手続補正書】
【提出日】平成19年1月23日(2007.1.23)
【手続補正１】
【補正対象書類名】実用新案登録請求の範囲
【補正対象項目名】全文
【補正方法】変更
【補正の内容】
【実用新案登録請求の範囲】
【請求項１】
火災など異常発生の感知部単体が検知した異常発生電気信号の入力により、電気ブレーカーサイドに設けた電力の遮断と復帰回路が作動する構成として、当該電気ブレーカーの電気回線内に設定した異常発生の報知部単体を作動させて警報することを可能とした、電気回線利用の異常発生報知システム。
【手続補正２】
【補正対象書類名】明細書
【補正対象項目名】全文
【補正方法】変更
【補正の内容】
【考案の詳細な説明】
【技術分野】
【０００１】  本考案は、家庭などの電気回線を利用した、火災などの異常発生報知器に関するものである。
【背景技術】
【０００２】  通常、家庭用の後付け火災などの感知器は報知部と一体型のものが多く、離れた所では火災などの異常発生の確認がしにくい不便がある。また報知部のみを単体で任意箇所へ移設することは、専門の工事が必要で安易にできない。一般家庭でも火災報知器の設置が義務づけられた昨今、いまだに火災による人身事故が多く発生している。
【考案の開示】
【考案が解決しようとする課題】
【０００３】  従来からの個人住宅などは、火災報知設備の不備なところが多く、また後付け工事には煩わしさがあり、更に工事後であっても火災など異常発生の感知部とは別に、報知部を単体で任意箇所に移設することは容易ではない。本考案の電気回線利用の異常発生報知システムでは、利用者が報知部を単体で自在に移設することを可能にして、上述の問題を解決しようとするものである。
【課題を解決するための手段】
【０００４】  本考案は、火災など異常発生の感知部単体が検知した異常発生電気信号の入力により起動したタイムスイッチで、電気ブレーカー電力の遮断と復帰をする電力一時遮断回路と、火災など異常発生の報知部単体を、当該電気ブレーカー電気回線内の任意箇所に設定して作動させるシステムで構成し、問題点を解決している。
【考案の効果】
【０００５】  上述の様に、電気ブレーカー電気回線内に設定しようとする異常発生の報知部単体は、確認し易い任意の箇所に設定できる。例えば、一階に設置した火災など異常発生の感知部単体から離れた、二階の居間や寝室などの身近なところに当該報知部単体を設定することで、迅速に異常を確認することができる。従って、火災などの異常発生時に速やかな避難が可能となり人身事故の減少に効果がある。
【考案を実施するための最良の形態】
【０００６】  電気ブレーカーサイドに、火災など異常発生の感知部単体が検知した異常発生電気信号の入力により作動する電力一時遮断回路を設ける。一方電気ブレーカーの電気回線内差込コンセントの任意箇所に、本考案異常発生の報知部単体を設置し、当該報知部単体に設けたリセットスイッチをＯＮにしてスタンバイが完了する。従って設定後は、火災など異常発生の感知部単体が異常を検知して異常発生電気信号を出力することで、当該報知部単体が作動して異常を報知する。また電力の遮断と復帰回線の設定を、電気ブレーカーの電力側ではなく、電気回線側に設定することで、その回線内に限り上述と同等の作動が可能となる。尚、外部の原因による電力の遮断に対しても同等の作動となるが、電力復帰後は当該報知部単体のリセットスイッチＯＮで再度スタンバイが可能となる。
【実施例】
【０００７】  以下、添付図面に従って一実施例を説明する。１は電気ブレーカーの電力、２は電気ブレーカーボックス、３は電力一時遮断回路の電力、４は電力一時遮断回路、５は火災など異常発生の感知部単体、６は異常発生電気信号の出力回線、７は電力の遮断と復帰回線、８は電気ブレーカーの電気回線、９は異常発生の報知器単体、Ａは異常発生の報知部単体の設定を、一電気回線内に限定する場合の、電力の遮断と復帰回線設定箇所、Ｂは火災など異常発生の感知部単体の電力、（電池式の場合は不要）【０００８】  本考案の一実施例は上述の如き構成からなるものであるから、火災など異常発生の感知部単体５から異常発生電気信号が出力されると、電力一時遮断回路４内のタイムスイッチが作動して、電気ブレーカーボックス２内の、関連する電気ブレーカーの電力が遮断され、当該電気回線８内に設定した異常発生の報知部単体９のリセットが解除される、続いて上記タイムスイッチのＯＦＦと同時に電力が復帰し、当該異常発生の報知部単体９が作動して異常を報知する。
【図面の簡単な説明】
【０００９】
【図１】本考案の電気回線利用の異常発生報知システムの実施例を示す回路図。
【符号の説明】
【００１０】  １  電気ブレーカーの電力
２  電気ブレーカーボックス
３  電力一時遮断回路の電力
４  電力一時遮断回路
５  火災など異常発生の感知部単体
６  異常発生電気信号の出力回線
７  電力の遮断と復帰回線
８  電気ブレーカーの電気回線
９  異常発生の報知部単体
Ａ  電力の遮断と復帰回線７を、電気ブレーカーの一回線側に設定する場合の位置
Ｂ  火災など異常発生の感知部単体の電力、但し電池式の場合は不要
【手続補正３】
【補正対象書類名】図面
【補正対象項目名】全図
【補正方法】変更
【補正の内容】
【図１】
0003131547.tif 000004